(57)【要約】【課題】使用中において圧力損失を効果的に抑制することができる排ガス浄化フィルタを提供すること。【解決手段】排ガス浄化フィルタ１は、セル壁３をハニカム状に配して多数のセル４を設けたハニカム構造体２を有し、排ガスＧを流入させる流入側セル４１の下流端と、排ガスＧを排出させる排出側セル４２の上流端とを栓部５によって閉塞してなる。ハニカム構造体２は、長さ方向に直交する断面において、流入側セル４１の水力直径に基づく流路断面積の総和が排出側セル４２の水力直径に基づく流路断面積の総和よりも大きい。流入側セルである六角セル４１は、各頂点において、隣接する六角セル４１の頂点を対向させ、互いの頂点を構成するセル壁３のみを共有するように規則性をもって配置されている。六角セル４１間に形成される領域Ａには、排出側セルである三角セル４２が配置されている。【選択図】図３
2008212787.tif 000002
【特許請求の範囲】
【請求項１】
多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、六角形状の上記セル壁に囲まれたセルである六角セルを有し、
該六角セルは、各頂点において、隣接する上記六角セルの頂点を対向させ、互いの頂点を構成する上記セル壁のみを共有するように規則性をもって配置され、
上記六角セル間に形成される領域には、三角形状の上記セル壁に囲まれたセルである三角セルが配置され、
上記六角セルが上記流入側セルであり、上記三角セルが上記排出側セルであることを特徴とする排ガス浄化フィルタ。
【請求項２】
多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、六角形状の上記セル壁に囲まれたセルである六角セルを有し、
該六角セルは、縦横方向において規則正しく同じ向きに配置され、かつ、一方の方向においては、隣接する上記六角セルと辺同士を対向させ、その辺を構成する上記セル壁を共有し、もう一方の方向においては、隣接する上記六角セルと頂点同士を対向させ、その頂点を構成する上記セル壁のみを共有するように配置され、
上記六角セル間に形成される領域には、四角形状の上記セル壁に囲まれたセルである四角セルが配置され、
上記六角セルが上記流入側セルであり、上記四角セルが上記排出側セルであることを特徴とする排ガス浄化フィルタ。
【請求項３】
多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、六角形状の上記セル壁に囲まれたセルである六角セルを有し、
該六角セルは、縦横方向において規則正しく同じ向きに配置され、かつ、一方の方向においては、隣接する上記六角セルと辺同士を対向させ、その辺を構成する上記セル壁を共有し、もう一方の方向においては、隣接する上記六角セルと頂点同士を対向させ、その頂点を構成する上記セル壁のみを共有するように配置され、
上記六角セル間に形成される領域には、四角形状の上記セル壁と上記領域を分割するように設けられた分割セル壁とにより構成された三角形状のセルである三角セルが２つ配置され、
上記六角セルが上記流入側セルであり、上記三角セルが上記排出側セルであることを特徴とする排ガス浄化フィルタ。
【請求項４】
多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、円形状の上記セル壁に囲まれたセルである円セルを有し、
該円セルは、縦横方向において規則正しく配置され、かつ、隣接する上記円セルと互いの接点付近を構成する上記セル壁を共有するように配置され、
上記円セル間に形成される領域には、四芒星形状の上記セル壁に囲まれたセルである四芒星セルが配置され、
上記円セルが上記流入側セルであり、上記四芒星セルが上記排出側セルであることを特徴とする排ガス浄化フィルタ。
【請求項５】
多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、隅部にＲ面を設けた四角形状の上記セル壁に囲まれたセルであるＲ四角セルを有し、
該Ｒ四角セルは、縦横方向に規則正しく同じ向きに配置され、かつ、隣接する上記Ｒ四角セルと辺同士を対向させ、その辺を構成する上記セル壁を共有するように配置され、
上記Ｒ四角セル間に形成される領域には、四芒星形状の上記セル壁に囲まれたセルである四芒星セルが配置され、
上記Ｒ四角セルが上記流入側セルであり、上記四芒星セルが上記排出側セルであることを特徴とする排ガス浄化フィルタ。
【請求項６】
多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、円形状の上記セル壁に囲まれたセルである円セルを有し、
該円セルは、仮想の六角形格子線上の各格子点の位置に配置され、かつ、隣接する上記円セルと互いの接点付近を構成する上記セル壁を接触させるように又は共有するように配置され、
上記円セルに囲まれて形成される領域には、六芒星形状の上記セル壁に囲まれたセルである六芒星セルが配置され、
上記六芒星セルが上記流入側セルであり、上記円セルが上記排出側セルであることを特徴とする排ガス浄化フィルタ。
【請求項７】
多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、円形状の上記セル壁に囲まれたセルである円セルを有し、
該円セルは、仮想の六角形格子線上の各格子点の位置に配置され、かつ、隣接する上記円セルと互いの接点付近を構成する上記セル壁を接触させるように又は共有するように配置され、
上記円セルに囲まれて形成される領域には、六芒星形状の上記セル壁に囲まれたセルである六芒星セルが配置され、
上記円セルが上記流入側セルであり、上記六芒星セルが上記排出側セルであることを特徴とする排ガス浄化フィルタ。
【請求項８】
請求項１〜７のいずれか１項において、上記ハニカム構造体は、コーディエライトを主成分とするセラミックスよりなることを特徴とする排ガス浄化フィルタ。
【請求項９】
請求項１〜８のいずれか１項において、上記ハニカム構造体の気孔率は、３０〜７０％であることを特徴とする排ガス浄化フィルタ。
【発明の詳細な説明】
【技術分野】
【０００１】
本発明は、ディーゼルエンジン等の内燃機関から排出される排ガス中のパティキュレートを捕集して排ガスの浄化を行う排ガス浄化フィルタに関する。
【背景技術】
【０００２】
従来から、内燃機関より排出される排ガス中のパティキュレート（Particulate Matter：以下、ＰＭという）を捕集して排ガスの浄化を行う排ガス浄化フィルタが知られている。
この排ガス浄化フィルタは、多孔質のセル壁をハニカム状に配して多数のセルを設けた基材としてのハニカム構造体を有するものである。そして、上記セルのうち、排ガスを流入させる流入側セルの下流端と、多孔質のセル壁を通過した排ガスを排出させる排出側セルの上流端とは、栓部によって閉塞されるのが一般的である。
【０００３】
上記排ガス浄化フィルタを用いて排ガスを浄化する際には、流入側セルに流入した排ガスが多孔質のセル壁を通過して、排出側セルに移動する。このとき、排ガス中のＰＭがセル壁に存在する多数の細孔に捕集され、排ガスが浄化される。その後、浄化された排ガスは、排出側セルから排出される。また、捕集されたＰＭは、定期的に燃焼除去される。そして、これにより、多孔質のセル壁の捕集機能は再生する。なお、燃焼除去方法としては、すでに公知の様々な方法が提案されている。
【０００４】
ところで、上記排ガス浄化フィルタは、通常、流入側及び排出側のセルを同一形状、同一断面積としている。しかしながら、このような構造では、セル壁に捕集されたＰＭが流入側に堆積するにつれて、圧力損失が急激に上昇する。これにより、エンジン等の内燃機関の性能低下につながる。また、排ガス中に含まれ、燃料に起因して生成するアッシュは、燃焼させても除去することが困難であるため、堆積による圧力損失の上昇が特に問題となる。
【０００５】
そこで、上記の問題を解決すべく、各流入側セルの断面積と各流出側セルの断面積とを異ならせるものが提案されている（特許文献１参照）。しかしながら、このような場合でも、圧力損失の上昇を充分に抑制できるとはいえなかった。
したがって、使用中における圧力損失の上昇を効果的に抑制することができる排ガス浄化フィルタが望まれている。
【０００６】
【特許文献１】特開２００５−２７０９６９号公報
【発明の開示】
【発明が解決しようとする課題】
【０００７】
本発明は、かかる従来の問題点に鑑みてなされたもので、使用中における圧力損失を効果的に抑制することができる排ガス浄化フィルタを提供しようとするものである。
【課題を解決するための手段】
【０００８】
第１の発明は、多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、六角形状の上記セル壁に囲まれたセルである六角セルを有し、
該六角セルは、各頂点において、隣接する上記六角セルの頂点を対向させ、互いの頂点を構成する上記セル壁のみを共有するように規則性をもって配置され、
上記六角セル間に形成される領域には、三角形状の上記セル壁に囲まれたセルである三角セルが配置され、
上記六角セルが上記流入側セルであり、上記三角セルが上記排出側セルであることを特徴とする排ガス浄化フィルタにある（請求項１）。
【０００９】
本発明の排ガス浄化フィルタにおいて、上記ハニカム構造体は、上記流入側セルの流路断面積の総和が上記排出側セルの流路断面積の総和よりも大きい。すなわち、上記排ガス浄化フィルタは、排ガス中のＰＭが上記セル壁に捕集されて堆積する流入側の流路断面積を、排出側の流路断面積よりも大きくしている。そのため、使用中においてＰＭの堆積量が増加しても、流入側及び排出側の流路断面積がほぼ同じである従来のものに比べて、流入側の流路断面積をより長期間大きく確保することができ、圧力損失の上昇を緩やかにすることができる。これにより、圧力損失を全体的に低く抑えることができる。
【００１０】
また、上記排ガス浄化フィルタを通過させる排ガスには、ＰＭ以外にも燃料に起因して生成するアッシュが含まれており、ＰＭと同様に上記セル壁に堆積する。このアッシュは、ＰＭと違って燃焼させて除去することが困難なものである。そのため、上記のごとく、流入側の流路断面積を排出側よりも大きくしたことによって圧力損失の上昇を抑制するという効果を特に有効に発揮することができる。これにより、車両寿命期間を通して、圧力損失を低く抑えることができる。
【００１１】
また、本発明の排ガス浄化フィルタでは、後述の図３を参照のごとく、上記流入側セルである上記六角セルと上記排出側セルである上記三角セルとが規則性をもって隙間なく配置されている。そして、上記六角セルに囲まれて形成される領域に、上記三角セルが配置されている。このような構成とすることにより、上記セルを構成する上記セル壁全てにおいて排ガスを通過させ、排ガス中のＰＭを捕集することができる。つまり、上記セル壁全てがＰＭ捕集機能を果たすことになる。これにより、排ガスの濾過面積を充分に確保することができ、初期の圧力損失を低く抑えることができる。
【００１２】
このように、本発明によれば、使用中における圧力損失の上昇を効果的に抑制し、圧力損失を全体的に低く抑えることができる排ガス浄化フィルタを提供することができる。
【００１３】
第２の発明は、多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、六角形状の上記セル壁に囲まれたセルである六角セルを有し、
該六角セルは、縦横方向において規則正しく同じ向きに配置され、かつ、一方の方向においては、隣接する上記六角セルと辺同士を対向させ、その辺を構成する上記セル壁を共有し、もう一方の方向においては、隣接する上記六角セルと頂点同士を対向させ、その頂点を構成する上記セル壁のみを共有するように配置され、
上記六角セル間に形成される領域には、四角形状の上記セル壁に囲まれたセルである四角セルが配置され、
上記六角セルが上記流入側セルであり、上記四角セルが上記排出側セルであることを特徴とする排ガス浄化フィルタにある（請求項２）。
【００１４】
本発明の排ガス浄化フィルタにおいても、上記ハニカム構造体は、上記流入側セルの流路断面積の総和が上記排出側セルの流路断面積の総和よりも大きい。そのため、上記のごとく、使用中においてＰＭの堆積量が増加しても、圧力損失の上昇を緩やかにすることができ、圧力損失を全体的に低く抑えることができる。
また、アッシュの堆積に対しても、上記の効果を特に有効に発揮することができ、車両寿命期間を通して、圧力損失を低く抑えることができる。
【００１５】
また、本発明の排ガス浄化フィルタでは、後述の図４を参照のごとく、上記流入側セルである上記六角セルと上記排出側セルである上記四角セルとが規則性をもって隙間なく配置されている。そして、上記六角セルに囲まれて形成される領域に、上記四角セルが配置されている。このような構成とすることにより、排出側の流路断面積を充分に確保することができ、圧力損失を抑制することができる。
【００１６】
ここで、上記排ガス浄化フィルタは、上記六角セルを構成する上記セル壁のうち、隣接する上記六角セルと辺を共有する上記セル壁がＰＭ捕集機能を果たさないことから、初期の圧力損失が高くなるおそれがある。しかしながら、上記の構成によって圧力損失を効果的に抑制することができれば、全体としては圧力損失を抑制することができる。
【００１７】
第３の発明は、多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、六角形状の上記セル壁に囲まれたセルである六角セルを有し、
該六角セルは、縦横方向において規則正しく同じ向きに配置され、かつ、一方の方向においては、隣接する上記六角セルと辺同士を対向させ、その辺を構成する上記セル壁を共有し、もう一方の方向においては、隣接する上記六角セルと頂点同士を対向させ、その頂点を構成する上記セル壁のみを共有するように配置され、
上記六角セル間に形成される領域には、四角形状の上記セル壁と上記領域を分割するように設けられた分割セル壁とにより構成された三角形状のセルである三角セルが２つ配置され、
上記六角セルが上記流入側セルであり、上記三角セルが上記排出側セルであることを特徴とする排ガス浄化フィルタにある（請求項３）。
【００１８】
本発明の排ガス浄化フィルタにおいても、上記ハニカム構造体は、上記流入側セルの流路断面積の総和が上記排出側セルの流路断面積の総和よりも大きい。そのため、上記のごとく、使用中においてＰＭの堆積量が増加しても、圧力損失の上昇を緩やかにすることができ、圧力損失を全体的に低く抑えることができる。
また、アッシュの堆積に対しても、上記の効果を特に有効に発揮することができ、車両寿命期間を通して、圧力損失を低く抑えることができる。
【００１９】
また、本発明の排ガス浄化フィルタでは、後述の図５を参照のごとく、上記流入側セルである上記六角セルと上記排出側セルである上記三角セルとが規則性をもって隙間なく配置されている。そして、上記六角セルに囲まれて形成される領域に、２つの上記三角セルが配置されている。このような構成とすることにより、排出側の流路断面積を充分に確保することができ、圧力損失を抑制することができる。
【００２０】
ここで、上記排ガス浄化フィルタは、上記六角セルを構成する上記セル壁のうち、隣接する上記六角セルと辺を共有する上記セル壁と、上記三角セルを構成する上記分割セルとがＰＭ捕集機能を果たさないことから、初期の圧力損失が高くなるおそれがある。しかしながら、上記の構成によって圧力損失を効果的に抑制することができれば、全体としては圧力損失を抑制することができる。
【００２１】
第４の発明は、多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、円形状の上記セル壁に囲まれたセルである円セルを有し、
該円セルは、縦横方向において規則正しく配置され、かつ、隣接する上記円セルと互いの接点付近を構成する上記セル壁のみを共有するように配置され、
上記円セル間に形成される領域には、四芒星形状の上記セル壁に囲まれたセルである四芒星セルが配置され、
上記円セルが上記流入側セルであり、上記四芒星セルが上記排出側セルであることを特徴とする排ガス浄化フィルタにある（請求項４）。
【００２２】
本発明の排ガス浄化フィルタにおいても、上記ハニカム構造体は、上記流入側セルの流路断面積の総和が上記排出側セルの流路断面積の総和よりも大きい。そのため、上記のごとく、使用中においてＰＭの堆積量が増加しても、圧力損失の上昇を緩やかにすることができ、圧力損失を全体的に低く抑えることができる。
また、アッシュの堆積に対しても、上記の効果を特に有効に発揮することができ、車両寿命期間を通して、圧力損失を低く抑えることができる。
【００２３】
また、本発明の排ガス浄化フィルタは、後述の図６を参照のごとく、上記流入側セルである上記円セルと上記排出側セルである上記四芒星セルとが規則性をもって隙間なく配置されている。そして、上記円セルに囲まれて形成される領域に、隅部を尖らせた上記四芒星セルが配置されている。このような構成とすることにより、ＰＭ捕集機能を果たす上記セル壁の面積、つまり排ガスの濾過面積をより大きくとることができる。それ故、初期の圧力損失を低く抑えることができる。
【００２４】
なお、本発明において、上記円セルは、隣接する上記円セルと互いの接点付近を構成する上記セル壁のみを共有するように配置されている。実際には、隣接する上記円セル同士は接していないため、最も接近している部分を接点とみなし、その接点付近を構成する上記セル壁を共有している。
【００２５】
第５の発明は、多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、隅部にＲ面を設けた四角形状の上記セル壁に囲まれたセルであるＲ四角セルを有し、
該Ｒ四角セルは、縦横方向に規則正しく同じ向きに配置され、かつ、隣接する上記Ｒ四角セルと辺同士を対向させ、その辺を構成する上記セル壁を共有するように配置され、
上記Ｒ四角セル間に形成される領域には、四芒星形状の上記セル壁に囲まれたセルである四芒星セルが配置され、
上記Ｒ四角セルが上記流入側セルであり、上記四芒星セルが上記排出側セルであることを特徴とする排ガス浄化フィルタにある（請求項５）。
【００２６】
本発明の排ガス浄化フィルタにおいても、上記ハニカム構造体は、上記流入側セルの流路断面積の総和が上記排出側セルの流路断面積の総和よりも大きい。そのため、上記のごとく、使用中においてＰＭの堆積量が増加しても、圧力損失の上昇を緩やかにすることができ、圧力損失を全体的に低く抑えることができる。
また、アッシュの堆積に対しても、上記の効果を特に有効に発揮することができ、車両寿命期間を通して、圧力損失を低く抑えることができる。
【００２７】
また、本発明の排ガス浄化フィルタは、後述の図７を参照のごとく、上記流入側セルである上記Ｒ四角セルと上記排出側セルである上記四芒星セルとが規則性をもって隙間なく配置されている。そして、上記Ｒ四角セルに囲まれて形成される領域に、隅部を尖らせた上記四芒星セルが配置されている。このような構成とすることにより、ＰＭ捕集機能を果たす上記セル壁の面積、つまり排ガスの濾過面積をより大きくとることができる。それ故、初期の圧力損失を低く抑えることができる。
また、上記Ｒ四角セルの隅部には、Ｒ面が設けられているため、上記ハニカム構造体の強度を向上させることができる。
【００２８】
第６の発明は、多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、円形状の上記セル壁に囲まれたセルである円セルを有し、
該円セルは、仮想の六角形格子線上の各格子点の位置に配置され、かつ、隣接する上記円セルと互いの接点付近を構成する上記セル壁を接触させるように又は共有するように配置され、
上記円セルに囲まれて形成される領域には、六芒星形状の上記セル壁に囲まれたセルである六芒星セルが配置され、
上記六芒星セルが上記流入側セルであり、上記円セルが上記排出側セルであることを特徴とする排ガス浄化フィルタにある（請求項６）。
【００２９】
本発明の排ガス浄化フィルタにおいても、上記ハニカム構造体は、上記流入側セルの流路断面積の総和が上記排出側セルの流路断面積の総和よりも大きい。そのため、上記のごとく、使用中においてＰＭの堆積量が増加しても、圧力損失の上昇を緩やかにすることができ、圧力損失を全体的に低く抑えることができる。
また、アッシュの堆積に対しても、上記の効果を特に有効に発揮することができ、車両寿命期間を通して、圧力損失を低く抑えることができる。
【００３０】
また、本発明の排ガス浄化フィルタは、後述の図８を参照のごとく、上記流入側セルである上記六芒星セルと上記排出側セルである上記円セルとが規則性をもって隙間なく配置されている。そして、上記円セルに囲まれて形成される領域に、隅部を尖らせた上記六芒星セルが配置されている。このような構成とすることにより、ＰＭ捕集機能を果たす上記セル壁の面積、つまり排ガスの濾過面積をより大きくとることができる。それ故、初期の圧力損失を低く抑えることができる。
また、上記排出側セルを円形状のセルとすることにより、排出側の流路断面積を充分に確保することができ、圧力損失を抑制することができる。
【００３１】
なお、本発明において、上記円セルは、隣接する上記円セルと互いの接点付近を構成する上記セル壁のみを接触させるように又は共有するように配置されている。実際には、隣接する上記円セル同士は接していないため、最も接近している部分を接点とみなし、その接点付近を構成する上記セル壁を接触させている、又は共有している。
【００３２】
第７の発明は、多孔質のセル壁をハニカム状に配して多数のセルを設けたハニカム構造体を有し、上記セルのうち、排ガスを流入させる流入側通路となる流入側セルの下流端と、上記セル壁を通過した排ガスを排出させる排出側通路となる排出側セルの上流端とを栓部によって閉塞してなる排ガス浄化フィルタにおいて、
上記ハニカム構造体は、長さ方向に直交する断面において、上記流入側セルの水力直径に基づく流路断面積の総和が上記排出側セルの水力直径に基づく流路断面積の総和よりも大きく、
上記セルは、円形状の上記セル壁に囲まれたセルである円セルを有し、
該円セルは、仮想の六角形格子線上の各格子点の位置に配置され、かつ、隣接する上記円セルと互いの接点付近を構成する上記セル壁を接触させるように又は共有するように配置され、
上記円セルに囲まれて形成される領域には、六芒星形状の上記セル壁に囲まれたセルである六芒星セルが配置され、
上記円セルが上記流入側セルであり、上記六芒星セルが上記排出側セルであることを特徴とする排ガス浄化フィルタにある（請求項７）。
【００３３】
本発明の排ガス浄化フィルタにおいて、上記ハニカム構造体は、上記流入側セルの流路断面積の総和が上記排出側セルの流路断面積の総和よりも大きい。そのため、上記のごとく、使用中においてＰＭの堆積量が増加しても、圧力損失の上昇を緩やかにすることができ、圧力損失を全体的に低く抑えることができる。
また、アッシュの堆積に対しても、上記の効果を特に有効に発揮することができ、車両寿命期間を通して、圧力損失を低く抑えることができる。
【００３４】
また、本発明の排ガス浄化フィルタは、後述の図９を参照のごとく、上記流入側セルである上記円セルと上記排出側セルである上記六芒星セルとが規則性をもって隙間なく配置されている。そして、上記円セルに囲まれて形成される領域に、隅部を尖らせた上記六芒星セルが配置されている。このような構成とすることにより、ＰＭ捕集機能を果たす上記セル壁の面積、つまり排ガスの濾過面積をより大きくとることができる。それ故、初期の圧力損失を低く抑えることができる。
【００３５】
なお、本発明において、上記円セルは、隣接する上記円セルと互いの接点付近を構成する上記セル壁のみを接触させるように又は共有するように配置されている。実際には、隣接する上記円セル同士は接していないため、最も接近している部分を接点とみなし、その接点付近を構成する上記セル壁を接触させている、又は共有している。
【発明を実施するための最良の形態】
【００３６】
上記第１〜７の発明において、水力直径とは、等価水力直径のことをいい、ある流路の断面と等価な円管の直径のことである。等価水力直径は、一般的に４ａ／Ｌ（ａ：流路断面積、Ｌ：断面長）で表される。そして、上記流入側セル及び上記排出側セルの流路断面積は、各セルの水力直径に基づいて算出する。
また、初期の圧力損失とは、上記排ガス浄化フィルタに排ガスを通過させる前の状態の圧力損失をいう。
【００３７】
また、上記流入側セルの水力直径に基づく流路断面積の総和をＡ、上記排出側セルの水力直径に基づく流路断面積の総和をＢとした場合、Ａ／Ｂ＝１．１〜５であることが好ましい。
上記Ａ／Ｂを上記範囲内とすることにより、使用中における圧力損失を抑制する効果を充分に発揮することができる。
【００３８】
また、上記ハニカム構造体は、コーディエライトを主成分とするセラミックスよりなることが好ましい（請求項８）。
この場合には、熱膨張係数の低いコーディエライトを用いることにより、耐熱衝撃性に優れた上記ハニカム構造体となる。さらに、コーディエライトは安価であり、製造コストを抑えることができる。
【００３９】
また、上記ハニカム構造体の気孔率は、３０〜７０％であることが好ましい（請求項９）。
この場合には、圧力損失を低く維持しながら、フィルタの浄化性能を高くすることができる。上記気孔率が３０％未満の場合には、圧力損失が高くなるという問題があり、一方、７０％を超える場合には、排ガス浄化フィルタの強度が低下するという問題や、フィルタの浄化性能が低下するという問題が生じるおそれがある。
なお、この気孔率は、ポロシメータを用いた水銀圧入法により細孔容積を求めて測定することができる。
【００４０】
また、上記ハニカム構造体の断面形状は、円形、楕円形等、一般的に用いられている形状を採用することができる。
また、上記流入側セル及び上記排出側セルには、必要に応じて隅部にＲ面を設けることができる。この場合には、上記ハニカム構造体の強度を向上させることができる。また、このＲ面とは、一定の曲率半径を有する曲面をいう。
また、上記流入側セル及び上記排出側セルの各セルの断面積（流路断面積）の大小は問題としない。すなわち、本発明では、上記流入側セルの水力直径に基づく流路断面積の総和が上記排出側セルの水力直径に基づく流路断面積の総和よりも大きくなれば、各セルの断面積を様々に設定することができる。
【実施例】
【００４１】
（実施例１）
本発明の実施例にかかる排ガス浄化フィルタについて、図を用いて説明する。
本例の排ガス浄化フィルタ１は、図１に示すごとく、多孔質のセル壁３をハニカム状に配して多数のセル４を設けた基材としてのハニカム構造体２を有する。ハニカム構造体２は、コーディエライトを主成分とするセラミックスより構成されており、円筒形状を呈している。また、ハニカム構造体２の気孔率は、５０％である。
【００４２】
また、図２に示すごとく、セル４のうち、排ガスＧを流入させる通路となる流入側セル４１は、ハニカム構造体２の下流端２０２において、栓部５によって閉塞されている。また、セル壁３を通過した排ガスＧを排出させる通路となる排出側セル４２は、ハニカム構造体２の上流端２０１において、栓部５によって閉塞されている。また、セル壁３には、通過する排ガスＧ中のＰＭを捕集するための細孔が多数形成されている。
【００４３】
また、ハニカム構造体２は、軸方向に直交する断面において、すなわち径方向断面において、流入側セル４１の水力直径に基づく流路断面積の総和が排出側セル４２の水力直径に基づく流路断面積の総和よりも大きくなるように、セル壁３及びセル４（流入側セル４１、排出側セル４２）が構成されている。
本例では、流入側セル４１の水力直径に基づく流路断面積の総和である流入側流路断面積Ａと、排出側セル４２の水力直径に基づく流路断面積の総和である排出側流路断面積Ｂとの関係は、Ａ／Ｂ＝１．２である。
【００４４】
また、ハニカム構造体２を軸方向から見ると、図３（ａ）、（ｂ）に示すごとく、流入側セル４１は、六角形状のセル壁３に囲まれて構成された六角セルであり、排出側セル４２は、三角形状のセル壁３に囲まれて構成された三角セルである。これらの六角セル４１及び三角セル４２は、規則性をもって隙間なく配置されている。
また、ハニカム構造体２の上流端２０１においては、三角セル４２が栓部５によって閉塞されており（図３（ａ））、下流端２０２においては、六角セル４１が栓部５によって閉塞されている（図３（ｂ））。
【００４５】
六角セル４１は、同図に示すごとく、各頂点において、隣接する六角セル４１の頂点を対向させ、互いの頂点を構成するセル壁３である頂点セル壁３１のみを共有するように配置されている。本例の六角セル４１は、仮想の三角形格子線８１上の各格子点８１１に位置するように配置されている。
【００４６】
三角セル４２は、同図に示すごとく、六角セル４１間に形成される領域に配置されている。本例の三角セル４２は、３つの六角セル４１に囲まれて形成される三角形状の領域Ｓ１に配置されている。三角セル４２は、六角セル４１を構成するセル壁３に囲まれて構成されている。
【００４７】
このような排ガス浄化フィルタ１を製造するに当たっては、製造方法そのものは、従来と同様の公知の方法を採用することができる。すなわち、ハニカム構造体２の材料となる粘度状のコーディエライト原料をハニカム状の成形体として押出成形すると共に所定の長さに切断し、その成形体を乾燥・焼成させる。また、この乾燥・焼成の後又は前の工程において、栓部５となる原料を閉塞するべき部分に配設し、これも、乾燥・焼成させる。
ここで、本例の排ガス浄化フィルタ１に特有のこととしては、上記押出成形時の金型として、上記セル壁３に対応するスリットを設けた金型（図示略）を用いることである。
【００４８】
次に、本例の排ガス浄化フィルタ１の作用効果について説明する。
本例の排ガス浄化フィルタ１において、ハニカム構造体２は、流入側セル４１の流路断面積の総和が排出側セル４２の流路断面積の総和よりも大きい。すなわち、排ガス浄化フィルタ１は、排ガスＧ中のＰＭがセル壁３に捕集されて堆積する流入側の流路断面積を、排出側の流路断面積よりも大きくしている。そのため、使用中においてＰＭの堆積量が増加しても、流入側及び排出側の流路断面積がほぼ同じである従来のものに比べて、流入側の流路断面積をより長期間大きく確保することができ、圧力損失の上昇を緩やかにすることができる。これにより、圧力損失を全体的に低く抑えることができる。
【００４９】
また、排ガス浄化フィルタ１を通過させる排ガスには、ＰＭ以外にも燃料に起因して生成するアッシュが含まれており、ＰＭと同様にセル壁３に堆積する。このアッシュは、ＰＭと違って燃焼させて除去することが困難なものである。そのため、上記のごとく、流入側の流路断面積を排出側よりも大きくしたことによって圧力損失の上昇を抑制するという効果を特に有効に発揮することができる。これにより、車両寿命期間を通して、圧力損失を低く抑えることができる。
【００５０】
また、本例の排ガス浄化フィルタ１では、上記のごとく、流入側セルである六角セル４１と排出側セルである三角セル４２とが規則性をもって隙間なく配置され、六角セル４１に囲まれて形成される領域Ｓ１に、三角セル４２が配置されている。このような構成とすることにより、セル４を構成するセル壁３全てにおいて排ガスＧを通過させ、排ガスＧ中のＰＭを捕集することができる。つまり、セル壁３全てがＰＭ捕集機能を果たすことになる。これにより、排ガスの濾過面積を充分に確保することができ、初期の圧力損失を低く抑えることができる。
【００５１】
このように、本例によれば、使用中における圧力損失の上昇を効果的に抑制し、圧力損失を全体的に低く抑えることができる排ガス浄化フィルタを提供することができる。
【００５２】
なお、流入側セル４１及び排出側セル４２には、必要に応じて隅部にＲ面を設けることができる。この場合には、ハニカム構造体２の強度を向上させることができる。
後述の実施例２〜７においても同様である。
【００５３】
（実施例２）
本例は、流入側セル４１及び排出側セル４２の形状及び配置を変更した例である。
本例では、図４に示すごとく、流入側セル４１は、六角形状のセル壁３に囲まれて構成された六角セルであり、排出側セル４２は、四角形状のセル壁３に囲まれて構成された四角セルである。これらの六角セル４１及び四角セル４２は、規則性をもって隙間なく配置されている。
また、ハニカム構造体２の上流端２０１においては、四角セル４２が栓部５によって閉塞されており（図４）、下流端２０２においては、六角セル４１が栓部５によって閉塞されている（図示略）。
【００５４】
六角セル４１は、同図に示すごとく、縦横方向において規則正しく同じ向きに配置されている。本例では、仮想の四角形格子線８２上の各格子点８２１に位置するように配置されている。そして、六角セル４１は、一方の方向においては、隣接する六角セル４１と辺同士を対向させ、その辺を構成するセル壁３である辺セル壁３２を共有し、もう一方の方向においては、隣接する六角セル４１と頂点同士を対向させ、その頂点を構成するセル壁３である頂点セル壁３１のみを共有するように配置されている。
【００５５】
四角セル４２は、同図に示すごとく、六角セル４１間に形成される領域に配置されている。本例の四角セル４２は、４つの六角セル４１に囲まれて形成される菱形状の領域Ｓ２に配置されている。四角セル４２は、六角セル４１を構成するセル壁３に囲まれて構成されている。
なお、本例における流入側流路断面積Ａと排出側流路断面積Ｂとの関係は、Ａ／Ｂ＝４である。
その他は、実施例１と同様の構成であり、同様の製造方法によって製造される。
【００５６】
本例の排ガス浄化フィルタ１では、上記のごとく、流入側セルである六角セル４１と排出側セルである四角セル４２とが規則性をもって隙間なく配置され、六角セル４１に囲まれて形成される領域Ｓ２に、四角セル４２が配置されている。このような構成とすることにより、排出側の流路断面積を充分に確保することができ、圧力損失を抑制することができる。
その他は、実施例１と同様の作用効果を得ることができる。
【００５７】
ここで、排ガス浄化フィルタ１は、六角セル４１を構成するセル壁３のうち、隣接する六角セル４１と辺を共有する辺セル壁３２がＰＭ捕集機能を果たさないことから、初期の圧力損失が高くなるおそれがある。しかしながら、上記の構成によって圧力損失を効果的に抑制することができれば、全体としては圧力損失を抑制することができる。
【００５８】
（実施例３）
本例は、流入側セル４１及び排出側セル４２の形状及び配置を変更した例である。
本例では、図５に示すごとく、流入側セル４１は、六角形状のセル壁３に囲まれて構成された六角セルであり、排出側セル４２は、三角形状のセル壁３に囲まれて構成された三角セルである。これらの六角セル４１及び三角セル４２は、規則性をもって隙間なく配置されている。
また、ハニカム構造体２の上流端２０１においては、三角セル４２が栓部５によって閉塞されており（図５）、下流端２０２においては、六角セル４１が栓部５によって閉塞されている（図示略）。
【００５９】
六角セル４１は、同図に示すごとく、縦横方向において規則正しく同じ向きに配置されている。本例では、仮想の四角形格子線８３上の各格子点８３１に位置するように配置されている。そして、六角セル４１は、一方の方向においては、隣接する六角セル４１と辺同士を対向させ、その辺を構成するセル壁３である辺セル壁３２を共有し、もう一方の方向においては、隣接する六角セル４１と頂点同士を対向させ、その頂点を構成するセル壁３である頂点セル壁３１のみを共有するように配置されている。
【００６０】
三角セル４２は、同図に示すごとく、六角セル４１間に形成される領域に配置されている。本例の三角セル４２は、４つの六角セル４１に囲まれて形成される菱形状の領域Ｓ３に２つ配置されている。三角セル４２は、六角セル４１を構成するセル壁３と領域Ｓ３を分割するように設けられた分割セル壁３０とに囲まれて構成されている。
なお、本例における流入側流路断面積Ａと排出側流路断面積Ｂとの関係は、Ａ／Ｂ＝５である。
その他は、実施例１と同様の構成であり、同様の製造方法によって製造される。
【００６１】
本例の排ガス浄化フィルタ１では、上記のごとく、流入側セルである六角セル４１と排出側セルである三角セル４２とが規則性をもって隙間なく配置され、六角セル４１に囲まれて形成される領域Ｓ３に、２つの三角セル４２が配置されている。このような構成とすることにより、排出側の流路断面積を充分に確保することができ、圧力損失を抑制することができる。
その他は、実施例１と同様の作用効果を得ることができる。
【００６２】
ここで、排ガス浄化フィルタ１は、隣接する六角セル４１と辺を共有する辺セル壁３２がＰＭ捕集機能を果たさないことから、初期の圧力損失は高くなるおそれがある。しかしながら、上記の構成によって圧力損失を効果的に抑制することができれば、全体としては圧力損失を抑制することができる。
【００６３】
（実施例４）
本例は、流入側セル４１及び排出側セル４２の形状及び配置を変更した例である。
本例では、図６に示すごとく、流入側セル４１は、円形状のセル壁３に囲まれて構成された円セルであり、排出側セル４２は、四芒星形状のセル壁３に囲まれて構成された四芒星セルである。これらの円セル４１及び四芒星セル４２は、規則性をもって隙間なく配置されている。
また、ハニカム構造体２の上流端２０１においては、四芒星セル４２が栓部５によって閉塞されており（図６）、下流端２０２においては、円セル４１が栓部５によって閉塞されている（図示略）。
【００６４】
円セル４１は、同図に示すごとく、縦横方向において規則正しく配置されている。本例では、仮想の四角形格子線８４上の各格子点８４１に位置するように配置されている。そして、円セル４１は、隣接する円セル４１と互いの接点付近を構成するセル壁３である接点セル壁３３のみを共有するように配置されている。
【００６５】
四芒星セル４２は、同図に示すごとく、円セル４１間に形成される領域に配置されている。本例の四芒星セル４２は、４つの円セル４１に囲まれて形成される四芒星形状の領域Ｓ４に配置されている。四芒星セル４２は、円セル４１を構成するセル壁３に囲まれて構成されており、隅部を尖らせた形状としている。
なお、本例における流入側流路断面積Ａと排出側流路断面積Ｂとの関係は、Ａ／Ｂ＝５である。
その他は、実施例１と同様の構成であり、同様の製造方法によって製造される。
【００６６】
本例の排ガス浄化フィルタ１では、上記のごとく、流入側セルである円セル４１と排出側セルである四芒星セル４２とが規則性をもって隙間なく配置され、円セル４１に囲まれて形成される領域Ｓ４に、隅部を尖らせた四芒星セル４２が配置されている。このような構成とすることにより、ＰＭ捕集機能を果たすセル壁３の面積、つまり排ガスの濾過面積をより大きく確保することができる。それ故に、初期の圧力損失を低く抑えることができる。
その他は、実施例１と同様の作用効果を得ることができる。
【００６７】
（実施例５）
本例は、流入側セル４１及び排出側セル４２の形状及び配置を変更した例である。
本例では、図７に示すごとく、流入側セル４１は、隅部にＲ面を設けた四角形状のセル壁３に囲まれたＲ四角セルであり、排出側セル４２は、四芒星形状のセル壁３に囲まれた四芒星セルである。これらのＲ四角セル４１及び四芒星セル４２は、規則性をもって隙間なく配置されている。
また、ハニカム構造体２の上流端２０１においては、四芒星セル４２が栓部５によって閉塞されており（図７）、下流端２０２においては、Ｒ四角セル４１が栓部５によって閉塞されている（図示略）。
【００６８】
Ｒ四角セル４１は、同図に示すごとく、縦横方向において規則正しく配置されている。本例では、仮想の四角形格子線８５上の各格子点８５１に位置するように配置されている。そして、Ｒ四角セル４１は、隣接するＲ四角セル４１と辺同士を対向させ、その辺を構成するセル壁３である辺セル壁３２を共有するように配置されている。
【００６９】
四芒星セル４２は、同図に示すごとく、Ｒ四角セル４１間に形成される領域に配置されている。本例の四芒星セル４２は、４つのＲ四角セル４１に囲まれて形成される四芒星形状の領域Ｓ５に配置されている。四芒星セル４２は、Ｒ四角セル４１のＲ面を構成するセル壁３に囲まれて構成されており、隅部を尖らせた形状としている。
なお、本例における流入側流路断面積Ａと排出側流路断面積Ｂとの関係は、Ａ／Ｂ＝６である。
その他は、実施例１と同様の構成であり、同様の製造方法によって製造される。
【００７０】
本例の排ガス浄化フィルタ１では、上記のごとく、流入側セルであるＲ四角セル４１と排出側セルである四芒星セル４２とが規則性をもって隙間なく配置され、Ｒ四角セル４１に囲まれて形成される領域Ｓ５に、隅部を尖らせた四芒星セル４２が配置されている。このような構成とすることにより、ＰＭ捕集機能を果たすセル壁３の面積、つまり排ガスの濾過面積をより大きくとることができる。それ故、初期の圧力損失を低く抑えることができる。
また、Ｒ四角セル４１の隅部には、Ｒ面が設けられているため、ハニカム構造体２の強度を向上させることができる。
その他は、実施例１と同様の作用効果を得ることができる。
【００７１】
（実施例６）
本例は、流入側セル４１及び排出側セル４２の形状及び配置を変更した例である。
本例では、図８に示すごとく、流入側セル４１は、六芒星形状のセル壁３に囲まれて構成された六芒星セルであり、排出側セル４２は、円形状のセル壁３に囲まれて構成された円セルである。これらの六芒星セル４１及び円セル４２は、規則性をもって隙間なく配置されている。
また、ハニカム構造体２の上流端２０１においては、円セル４２が栓部５によって閉塞されており（図８）、下流端２０２においては、六芒星セル４１が栓部５によって閉塞されている（図示略）。
【００７２】
円セル４２は、同図に示すごとく、仮想の六角形格子線８６上の各格子点８６１に位置するように配置されている。そして、円セル４２は、隣接する円セル４２と互いの接点付近を構成するセル壁３である接点セル壁３３を共有するように配置されている。
【００７３】
六芒星セル４１は、同図に示すごとく、円セル４２に囲まれて形成される領域に配置されている。本例の六芒星セル４１は、６つの円セル４２に囲まれて形成される六芒星形状の領域Ｓ６に配置されている。六芒星セル４１は、円セル４２を構成するセル壁３に囲まれて構成されており、隅部を尖らせた形状としている。
なお、本例における流入側流路断面積Ａと排出側流路断面積Ｂとの関係は、Ａ／Ｂ＝１．２である。
その他は、実施例１と同様の構成であり、同様の製造方法によって製造される。
【００７４】
本例の排ガス浄化フィルタ１では、上記のごとく、流入側セルである六芒星セル４１と排出側セルである円セル４２とが規則性をもって隙間なく配置され、円セル４２に囲まれて形成される領域Ｓ６に、隅部を尖らせた六芒星セル４１が配置されている。このような構成とすることにより、ＰＭ捕集機能を果たすセル壁３の面積、つまり排ガスの濾過面積をより大きくとることができる。それ故、初期の圧力損失を低く抑えることができる。
また、排出側セル４２を円形状のセルとすることにより、排出側の流路断面積を充分に確保することができ、圧力損失を抑制することができる。
その他は、実施例１と同様の作用効果を得ることができる。
【００７５】
（実施例７）
本例は、流入側セル４１及び排出側セル４２の形状及び配置を変更した例である。
本例では、図９に示すごとく、流入側セル４１は、円形状のセル壁３に囲まれて構成された円セルであり、排出側セル４２は、六芒星形状のセル壁３に囲まれて構成された六芒星セルである。これらの六芒星セル４１及び円セル４２は、規則性をもって隙間なく配置されている。
また、ハニカム構造体２の上流端２０１においては、六芒星セル４２が栓部５によって閉塞されており（図８）、下流端２０２においては、円セル４１が栓部５によって閉塞されている（図示略）。
【００７６】
円セル４１は、同図に示すごとく、仮想の六角形格子線８７上の各格子点８７１に位置するように配置されている。そして、円セル４１は、隣接する円セル４１と互いの接点付近を構成するセル壁３である接点セル壁３３を共有するように配置されている。
【００７７】
六芒星セル４２は、同図に示すごとく、円セル４１に囲まれて形成される領域に配置されている。本例の六芒星セル４２は、６つの円セル４１に囲まれて形成される六芒星形状の領域Ｓ７に配置されている。六芒星セル４２は、円セル４１を構成するセル壁３に囲まれて構成されており、隅部を尖らせた形状としている。
なお、本例における流入側流路断面積Ａと排出側流路断面積Ｂとの関係は、Ａ／Ｂ＝２である。
その他は、実施例１と同様の構成であり、同様の製造方法によって製造される。
【００７８】
本例の排ガス浄化フィルタ１は、上記のごとく、流入側セルである円セル４１と排出側セルである六芒星セル４２とが規則性をもって隙間なく配置され、円セル４１に囲まれて形成される領域Ｓ７に、隅部を尖らせた六芒星セル４２が配置されている。このような構成とすることにより、ＰＭ捕集機能を果たすセル壁３の面積、つまり排ガスの濾過面積をより大きくとることができる。それ故、初期の圧力損失を低く抑えることができる。
その他は、実施例１と同様の作用効果を得ることができる。
【００７９】
（実施例８）
本例は、実施例１の排ガス浄化フィルタ（本発明品）を用いて、実使用中における圧力損失を測定した例である。
本例では、流入側流路断面積Ａが排出側流路断面積Ｂよりも大きい本発明品の排ガス浄化フィルタを自動車排ガス浄化システムの触媒コンバータに設置し、触媒コンバータに２０ｇ／秒の流量の排ガスを通過させ、その際の排ガスの流入側圧力と排出側圧力との差を測定することにより求めた。
また、比較として、流入側流路断面積Ａと排出側流路断面積Ｂとがほぼ同じである排ガス浄化フィルタ（従来品）を準備し、同様に測定を行った。
【００８０】
測定結果を図１０に示す。同図は、横軸にＰＭ堆積量（ｇ／Ｌ）、縦軸に圧力損失（ｋＰａ）をとったものである。
同図からわかるように、本発明品（Ｅ）は、初期の圧力損失が従来品（Ｃ）に比べて高い。これは、流入側流路断面積Ａを排出側流路断面積Ｂよりも大きくしたことで、流入側と排出側との流路断面積のバランスが崩れたためであると考えられる。しかしながら、ＰＭ堆積量が増加すると、従来品は急激に圧力損失が上昇するのに対して、本発明品は圧力損失の上昇が緩やかであり、結果的に従来品よりも圧力損失が低くなる。この傾向は、アッシュの堆積においても同様である。
以上の結果から、本発明品の排ガス浄化フィルタは、使用中における圧力損失の上昇を効果的に抑制し、圧力損失を全体的に低く抑えることができることがわかる。
【図面の簡単な説明】
【００８１】
【図１】実施例１における、排ガス浄化フィルタを示す説明図。
【図２】実施例１における、排ガス浄化フィルタの軸方向断面を示す説明図。
【図３】実施例１における、流入側セル及び排出側セルの形状及び配置を示す説明図（ハニカム構造体の（ａ）上流端、（ｂ）下流端）。
【図４】実施例２における、流入側セル及び排出側セルの形状及び配置を示す説明図。
【図５】実施例３における、流入側セル及び排出側セルの形状及び配置を示す説明図。
【図６】実施例４における、流入側セル及び排出側セルの形状及び配置を示す説明図。
【図７】実施例５における、流入側セル及び排出側セルの形状及び配置を示す説明図。
【図８】実施例６における、流入側セル及び排出側セルの形状及び配置を示す説明図。
【図９】実施例７における、流入側セル及び排出側セルの形状及び配置を示す説明図。
【図１０】実施例８における、ＰＭ堆積量と圧力損失との関係を示す説明図。
【符号の説明】
【００８２】
１  排ガス浄化フィルタ
２  ハニカム構造体
３  セル壁
４  セル
４１  流入側セル
４２  排出側セル
５  栓部
Ｇ  排ガス
【図１】
2008212787.tif 000003
【図２】
2008212787.tif 000004
【図３】
2008212787.tif 000005
【図４】
2008212787.tif 000006
【図５】
2008212787.tif 000007
【図６】
2008212787.tif 000008
【図７】
2008212787.tif 000009
【図８】
2008212787.tif 000010
【図９】
2008212787.tif 000011
【図１０】
2008212787.tif 000012